(57)【特許請求の範囲】
【請求項１】
一平面となる拡張状態と折り畳み状態となるように屈曲可能に連結された、上部照明枠と下部照明枠とを有する照明器と、車両に搭載され、先端に前記照明器を装着した伸縮自在なブームと、折り畳まれた照明器の上部照明枠と下部照明枠とを一平面に拡張する拡張手段とを備え、前記拡張手段は、ブームの側面に設けたウインチと、ウインチロープと、ブーム先端の側面に設けたシーブとから成ることを特徴とする高架照明車の照明器の拡張装置。
【請求項２】
一平面となる拡張状態と折り畳み状態となるように屈曲可能に連結された上部照明枠と下部照明枠とを有する照明器を、ブームの先端に装着した高架照明車の照明器の拡張方法において、折り畳まれた照明器の下部照明枠をブームと連結し、その後に照明器の上部照明枠にブームからのウインチロープを係止し、このウインチロープを引張することにより上部照明枠と下部照明枠とを一平面に拡張することを特徴とする高架照明車の照明器の拡張方法。
【請求項３】
一平面となる拡張状態と折り畳み状態となるように屈曲可能に連結された上部照明枠と下部照明枠とを有する照明器を、ブームの先端に装着した高架照明車の照明器の折り畳み方法において、ブームに連結され一平面に拡張された照明器の上部照明枠にブームからのウインチロープを係止し、このウインチロープを緩めることによって照明器の上部照明枠と下部照明枠とを折り畳むことを特徴とする高架照明車の照明器の折り畳み方法。
【発明の詳細な説明】
【０００１】
【発明の属する技術分野】
本発明は、伸縮ブーム先端に広域照明用の照明器を着脱可能に配設した移動式クレーン、いわゆる高架照明車における折り畳み可能な照明器の拡張装置と拡張方法及び折り畳み方法に関する。
【０００２】
【従来の技術】
下部走行体の上方に鉛直方向の軸を中心に旋回可能な上部旋回体を備え、上部旋回体に起伏自在及び伸縮自在なブームを有する、いわゆる移動式クレーンにおいて、そのブーム先端に照明器を配設した広域照明用クレーンがある。この移動式クレーンは、照明設備が備えられてない球技場、競技場等のスポーツ施設、及び例えば催しを開催する野外広場等において、夜間照明のために所定の場所に設置され、ブームを自在に旋回、起伏及び伸縮して所望の照明範囲、照明角度及び照度等を得るようにするものである。この移動式クレーン（以後、高架照明車と呼ぶ）によって、照明設備が備えられてない上記のような場所において、短時間で容易に照明装置を設置することが可能となり、また競技終了後には照明装置の後片付けを行なう作業も容易となる。
【０００３】
また、上記高架照明車は、地震や津波の災害等緊急事態が発生した場合に、緊急避難場所の広域広場の夜間照明用としても使用することができるので、多目的な用途に使用することができる。よってこの高架照明車は、通常の競技場に常設された照明装置に比べて稼働率を向上でき、維持費等を考慮するとコスト的にも有利な照明装置となる。したがって、最近のスポーツブーム等に伴って、非常に良く使用されるようになって来た。
【０００４】
このような高架照明車においては、広域照明を行なうために照明器の各照明灯は１個当たり例えばおよそ２ＫＷの大電力を消費するような大型の照明灯が必要であり、このため照明器の外径寸法が大きくなり（例えば、６ｍ×４ｍ程度）、また重量も重くなる。よって、照明器をブームの先端に装着したままの状態で高架照明車を移動させるのは、走行時の安全性の面で危険である。したがって、上記のような高架照明車では照明器を着脱自在に設け、移動する場合にはブームと照明器とを分離し、照明器はトラック等に搭載して高架照明車とは別個に運搬する。このとき、照明器がトラックの荷台より大きい場合が多いので、照明器をトラックに搭載できる程度に折り畳み可能にした照明器がある。そして、現地において高架照明車のブームとこの照明器とを結合し、折り畳んだ照明器を拡張するようにしている。
【０００５】
従来、このような高架照明車として、実公３００７６９０号公報によって出願されたものがあり、図６に示されている。図６は、従来の高架照明車の側面図であり、以下図に基づいて説明する。高架照明車は、下部走行体１の上方に鉛直方向の旋回軸を中心に旋回可能な上部旋回体２を備え、上部旋回体２のほぼ中央位置には伸縮自在なブーム３が水平な枢軸ピンの回りに起伏自在に設けられている。また上部旋回体２上に、走行用とブーム３の操作用を共用した運転室を設けている。
【０００６】
ブーム３に伸縮自在に内設されたトップブーム６の先端にはブラケット７が固設されており、ブラケット７の下端部に着脱自在、かつ折り畳み可能な照明器１０を水平な枢軸ピン（以後、ロックピンと呼ぶ）４の回りに回動自在に配設している。照明器１０の端部とブラケット７の前面上部端との間には回動シリンダ５が連結されていて、回動シリンダ５が動作することによって、照明器１０がロックピン４の回りに回動する。
【０００７】
この回動シリンダ５の作動操作も、前記運転室内から遠隔操作可能になっている。よって、車両の位置決め、ブーム旋回、起伏及び伸縮、回動シリンダ５の作動等による照明器１０の高度や方向の調整、及び照明角度の調整を、運転室内で全て操作可能である。したがって、本高架照明車を使用すると、照明のための準備作業が大変容易になっている。
【０００８】
図７は、上記折り畳み可能な照明器１０をＬ形に折り曲げた状態の側面図であり、図８は、それを一平面にした状態を表している。以下、図７及び図８に基づいて照明器１０を詳細に説明する。照明器１０は、アングル材等で枠状に形成した中空機枠と、この中空機枠に所定方向に向けて取着された所定数の照明灯１３とを備えている。上記中空機枠は、Ｌ形に折り曲げ可能なように上部照明枠１１と下部照明枠１２とから構成されている。
上部照明枠１１の裏面側には回動シリンダ５との連結用ブラケット１７が設けられ、下部照明枠１２の裏面側にはブーム３との連結用の固定プレート１８が設けられている。
【０００９】
Ｌ形に折り曲げた状態では、上部照明枠１１の正面側（照明灯１３の鏡面側）の枠１４の折り曲げた方は突出しており、その先端は下部照明枠１２の正面側の枠の所定位置に連結ピン１５により回動可能に連結されている。一平面にした状態では、上部照明枠１１の裏面側の結合部先端１６ａと、下部照明枠１２の裏面側の結合部先端１６ｂとを固定ピン１６によって連結している。
【００１０】
このような構成において、着脱自在な照明器１０をブーム３の先端に装着して折り曲げた状態から拡張し、また、高架照明車の使用が完了した後に元の状態に折り畳むときの作用を説明する。
照明器１０を格納する場合には、図７に示すように上部照明枠１１をＬ形に折り畳んでコンパクトにする。そして移動する場合には、この状態でブーム３と照明器１０とを分離し、運搬する。
【００１１】
照明器１０を使用する場合には、まず、現場においてブーム３先端のブラケット７と照明器１０の下部照明枠１２の固定プレート１８とをロックピン４によって結合する。この後、図８に示すように上部照明枠１１を連結ピン１５を中心としてほぼ９０°回転させて一平面に拡張し、上部照明枠１１と下部照明枠１２とを裏面側で固定ピン１６によって結合する。
【００１２】
【発明が解決しようとする課題】
しかしながら上記構成においては、照明器の上部照明枠１１と下部照明枠１２とを一平面に拡張する場合、上記のように上部照明枠１１を持ち上げる作業が必要である。前述のように、上部照明枠１１は外形寸法も大きくて重量も重い為、人力で持ち上げて拡張するのは非常に困難であり、また多くの危険を伴う。
そのため、通常は別のクレーン等によって持ち上げているが、作業時にはこのクレーンと高架照明車との協調作業が大変煩わしくなり、作業性があまり良くない。さらに、クレーン及びオペレータの手配で費用がかかることになる。
同様に、拡張した照明器を折り畳む場合にも同じ問題がある。
【００１３】
本発明は、上記の問題点に着目してなされたものであり、別の装置等を使用することなく、折り畳み可能な照明器を、容易に、短時間でかつ安全に一平面に拡張でき、及び折り畳むことができる高架照明車の照明器の拡張装置と拡張方法及び折り畳み方法を提供することを目的としている。
【００１４】
【課題を解決するための手段】
上記の目的を達成するために、第1の発明は一平面となる拡張状態と折り畳み状態となるように屈曲可能に連結された、上部照明枠と下部照明枠とを有する照明器と、車両に搭載され、先端に前記照明器を装着した伸縮自在なブームと、折り畳まれた照明器の上部照明枠と下部照明枠とを一平面に拡張する拡張手段とを備え、前記拡張手段は、ブームの側面に設けたウインチと、ウインチロープと、ブーム先端の側面に設けたシーブとから成る構成としている。
【００１６】
第２の発明は、一平面となる拡張状態と折り畳み状態となるように屈曲可能に連結された上部照明枠と下部照明枠とを有する照明器を、ブームの先端に装着した高架照明車の照明器の拡張方法において、折り畳まれた照明器の下部照明枠をブームと連結し、その後に照明器の上部照明枠にブームからのウインチロープを係止し、このウインチロープを引張することにより上部照明枠と下部照明枠とを一平面に拡張する拡張方法としている。
【００１７】
第３の発明は、一平面となる拡張状態と折り畳み状態となるように屈曲可能に連結された上部照明枠と下部照明枠とを有する照明器を、ブームの先端に装着した高架照明車の照明器の折り畳み方法において、ブームに連結され一平面に拡張された照明器の上部照明枠にブームからのウインチロープを係止し、このウインチロープを緩めることによって照明器の上部照明枠と下部照明枠とを折り畳む折り畳み方法としている。
【００１８】
【作用】
上記のような構成及び方法としたので、別の装置等を使用することなく折り畳まれた照明器を容易に、短時間でかつ安全に一平面に拡張することができる。また、照明器を折り畳む場合にも容易に、安全に折り畳むことができる。よって、拡張及び折り畳みの作業の効率を向上できる。
【００１９】
【発明の実施の形態】
以下に、本発明に係る高架照明車の照明器の拡張装置と拡張方法及び折り畳み方法の実施例について、図１から図５を参照して詳述する。
図１及び図２は、それぞれ実施例を表す照明器の拡張装置８の側面図及び正面図である。ブーム３の側面に、ウインチ２０が装着されている。ブーム３に伸縮自在に内設されたトップブーム６の先端にブラケット７が固設されており、ブラケット７の側面にはウインチ２０のウインチロープ２１用のシーブ２２が取着されている。ウインチロープ２１の先端は、常時はブーム３の先端のブラケット２３にピン２４によって係止されている。
【００２０】
図２に示すように、ブラケット７の下面には左右両端に吊り下げプレート２５が固設されている。また、ブラケット７の下面の左右に、かつ吊り下げプレート２５の内側に、それぞれロッド側を吊り下げプレート２５に向けてロックシリンダ２６を設ける。ロックシリンダ２６の先端に、ロックピン４を装着している。ロックピン４と係合する孔が吊り下げプレート２５を貫通している。
【００２１】
図３は、折り畳み可能な照明器１０の側面図である。照明器１０は、従来技術で説明したのと同様に、上部照明枠１１と下部照明枠１２とにより構成され、上部照明枠１１の正面側の突出した枠１４の先端は下部照明枠１２の正面側に回動ピン１５により回動可能に連結されている。図３は、この上部照明枠１１をほぼ９０°回動させ、照明器１０をＬ形にした格納状態を示している。
【００２２】
照明器１０を一平面になるように拡張する場合には、図８に示す従来のものと同様に上部照明枠１１をほぼ９０°回動させ、上部照明枠１１の裏面側の端部１６ａと下部照明枠１２の裏面側の端部１６ｂとを係合させ、固定ピン１６によって結合する。
【００２３】
下部照明枠１２の裏面側には、ブーム側のブラケット７の吊り下げプレート２５に係合する固定プレート１８が固設されている。ロックピン４と係合する孔が固定プレート１８を貫通している。吊り下げプレート２５の孔と固定プレート１８の孔が整合し、ロックシリンダ２６が作動してロックピン４がこれらの孔に挿入されることによって、ブーム３と照明器１０とが連結される。
また、上部照明枠１１の裏面側には、回動シリンダ５との連結用のブラケット１７、及びウインチロープ２１の先端を係止するための係止プレート２７が固設されている。
【００２４】
次に、照明器の拡張方法と折り畳み方法について説明する。
先ず、拡張方法を説明する。
１）図４に示すように、トップブーム６の先端のブラケット７の下面に固設された吊り下げプレート２５と、折り畳まれた照明器１０の下部照明枠１２に固設された固定プレート１８とをロックピン４により連結する。
２）ウインチロープ２１の先端をブーム３のブラケット２３から外し、シーブ２２を介して上部照明枠１１の係止プレート２７に連結する。
３）ウインチロープ２１をウインチ２０によって引っ張ると上部照明枠１１は連結ピン１５を中心として回動し、図５に示すように下部照明枠１２と一平面に拡張する。
４）下部照明枠１２と上部照明枠１１の裏面側を固定ピン１６により連結し、照明器１０を一平面状に固定する。
【００２５】
次に、折り畳み方法を説明する。
１）図５に示すように、一平面状に固定されている照明器１０の上部照明枠１１の係止プレート２７にウインチロープ２１の先端を係止する。
２）下部照明枠１２と上部照明枠１１の裏面側を固定している固定ピン１６を外す。
３）ウインチロープ２１を緩め、上部照明枠１１を自重により連結ピン１５を中心としてほぼ９０°回動させ、図４に示すようにＬ形に折り畳む。
４）ウインチロープ２１の先端を係止プレート２７から外し、ブーム３のブラケット２３に係止する。
【００２６】
ロックシリンダ２６は、図示しない操作レバーによって動作し、人手を介さずにロックピン４をブーム側の吊り下げプレート２５と照明器側の固定プレート１８とに挿入して連結するものである。ロックシリンダ２６が無い状態で、人手を介してロックピン４を挿入しても、本発明の拡張装置と拡張方法及び折り畳み方法の作用及び効果は変わらない。
【００２７】
また、折り畳み可能な照明器が伸縮自在なブームの先端に回動自在に取着されており、着脱自在となっていない場合でも、本実施例に係わる拡張装置と拡張方法及び折り畳み方法は、その作用及び効果はどうようである。
【００２８】
【発明の効果】
以上詳述したような高架照明車の照明器の拡張装置と拡張方法及び折り畳み方法としたので、別の装置等を使用することなく、折り畳み可能な照明器を労力も要せずに容易に、短時間でかつ安全に拡張及び折り畳みができる。よって、拡張及び折り畳みの作業の効率を向上できる。
【図面の簡単な説明】
【図１】本発明の拡張装置を説明するブームの側面図である。
【図２】本発明の拡張装置を説明するブームの正面図である。
【図３】照明器の折り畳み状態を示す側面図である。
【図４】折り畳まれた照明器とブームとの連結状態を示す側面図である。
【図５】照明器を拡張した状態を示す側面図である。
【図６】従来技術を説明する高架照明車の全体側面図である。
【図７】従来の照明器の折り畳み状態の側面図である。
【図８】従来の照明器の拡張状態の側面図である。
【符号の説明】
１…下部走行体、２…上部旋回体、３…ブーム、４…ロックピン、５…回動シリンダ、６…トップブーム、７…ブラケット、８…拡張装置、１０…照明器、１１…上部照明枠、１２…下部照明枠、１３…照明灯、１５…連結ピン、１６…固定ピン、１８…固定プレート、２０…ウインチ、２１…ウインチロープ、２２…シーブ、２５…吊り下げプレート、２６…ロックシリンダ、２７…係止プレート。
【図１】
0003601882.tif 000002
【図２】
0003601882.tif 000003
【図３】
0003601882.tif 000004
【図４】
0003601882.tif 000005
【図５】
0003601882.tif 000006
【図６】
0003601882.tif 000007
【図７】
0003601882.tif 000008
【図８】
0003601882.tif 000009